(57)【特許請求の範囲】
【請求項１】
処理すべき光の波長λに対し、最も大きい部分のサイズＤが、Ｄ＜λの関係となる形状の微小な金属構造体を複数個、前記微小な金属構造体間の端部の間隔ｄ（＜Ｄ）を隔して所定の配置で配列して単位配列パターンとし、この単位配列パターンを光学基板上に２次元的に配列させた単位処理領域が積層して形成されてなることを特徴とする光処理素子。
【請求項２】
請求項１に記載の光処理素子において、
波長λの光を選択的に通過させる単位処理領域と、波長λの光の偏光状態を選択的に変化させる単位処理領域とを有していることを特徴とする光処理素子。
【請求項３】
請求項１に記載の光処理素子において、
波長λの光を選択的に通過させる単位処理領域と、波長λの光の偏光状態を選択的に変化させる単位処理領域と、光を反射させる単位処理領域とを有していることを特徴とする光処理素子。
【請求項４】
請求項１〜３のいずれかに記載の光処理素子において、
前記微小な金属構造体の形状が、半球形状、円柱形状、半回転楕円体形状、楕円柱形状、多角柱形状、錐体形状のいずれかであることを特徴とする光処理素子。
【請求項５】
請求項１〜４のいずれかに記載の光処理素子において、
前記微小な金属構造体が、金（Ａｕ）、銀（Ａｇ）、アルミニウム（Ａｌ）、白金（Ｐｔ）、ニッケル（Ｎｉ）、クローム（Ｃｒ）、もしくは銅（Ｃｕ）のいずれか、または、これらの組み合わせ、または、これらの合金で構成されていることを特徴とする光処理素子。
【請求項６】
請求項１〜５のいずれかに記載の光処理素子において、
前記単位配列パターンにおける前記微小な金属構造体の配置が、２個の金属構造体の近接配置、または、３個以上の金属構造体によるＶ字型配置もしくはＬ字型配置、または、４個以上の金属構造体によるＴ字型配置、または、５個以上の金属構造体による十字型配置の何れかであることを特徴とする光処理素子。
【請求項７】
請求項１〜６のいずれかに記載の光処理素子において、
光入射側に配置され、直線偏光のみを通過させる偏光子を有していることを特徴とする光処理素子。
【請求項８】
請求項７に記載の光処理素子において、
前記偏光子はワイヤグリッド型であることを特徴とする光処理素子。
【発明の詳細な説明】
【技術分野】
【０００１】
本発明は、表示装置、画像投影装置、光計測などに利用可能な光処理素子に関する。
【背景技術】
【０００２】
偏光板や波長板などの偏光制御素子は、直交する二つの方向に対し、伝搬特性および吸収特性に異方性を持たせることにより、入射光の偏光方向の１成分を透過させたり、位相を変調させて偏光状態を、直線偏光から円偏光のように、偏光させたりする素子である。
このような素子は、例えば、液晶パネルや有機ＥＬディスプレイの画素のオン・オフに利用されるほか、エリプソメトリーなどの光計測技術や、レーザー干渉計、光シャッターなど、様々な光学機器ならびに計測機器に利用されている。
特に、液晶プロジェクタなどの画像投影装置への需要が伸びている。
【０００３】
偏光板は、自然偏光を直線偏光に変換する素子であり、入射光の直交する偏光成分の一方のみを透過させ、他方を吸収（または反射・散乱）により遮蔽するものである。
現在特に液晶パネルに用いられる偏光板の多くは、ポリビニルアルコールなどの基板フィルムにヨウ素や有機染料などの二色性の材料を染色・吸着させ、高度に延伸・配向させることで吸収二色性を発現させるものである。
一方、１／２波長板や１／４波長板のようなリターデーションプレート（または位相シフター）は、複屈折性の光学結晶により作られ、常光線と異常光線の屈折率の違いにより偏光状態を変調するものである。
この常光線と異常光線の光路差が波長の１／２となるものが１／２波長板であり、１／４となるものが１／４波長板である。このような、複屈折性を示す材料としては、方解石や水晶が用いられる。
【０００４】
吸収を利用する偏光制御素子は、熱による影響を受けやすく、透明度の低下、焦げる、といった問題があり、照射光量を大きくすることができない。また、使用温度条件が厳しく、液晶プロジェクタなどで使用する場合には、冷風機構が必要であり装置の小型化が困難、埃の付着による画質欠陥を生じるなどの課題がある。
また、屈折率の異方性を利用する偏光制御素子においては、複屈折性を示す光学結晶材料が限定されており、使用できる波長領域に制限があるなどの課題がある。
また、光学結晶材料を貼り合わせることにより膜厚、すなわち光路差を調整し、偏光状態を制御しているので、光学結晶材料に対する依存性が強く、偏光制御性の自由度が低い。また、偏光制御素子自体を小型化、薄型化することが困難であるなどの課題がある。
【０００５】
このような課題に対し、量産性がよく、低コストで製造できる、耐熱性に優れた偏光制御素子として、透明基板に、金やアルミニウムの細線を形成したワイヤグリッド偏光子が提案されている。この偏光素子は２．５μｍより長波長の光に対して機能する偏光素子として実用化されている。
これに対し近年の微細加工技術の進歩により、特許文献１に示すような、可視波長（４００〜７００ｎｍ）で駆動できるワイヤグリッド構造が提案されている。
【０００６】
また、偏光状態を制御する波長板または位相板を二次元表面における光の相互作用により実現する方法として、非特許文献１、２に示すような、支持基板上に微小な金属パターンを形成することにより偏光状態を制御する提案が行われている。
非特許文献１では電子ビームリソグラフィ技術を用い、波長以下のピッチで金のＬ字構造を有する非対称なナノ微粒子を基板上に作製し、このような構造体に光を照射することにより、透過光が入射光の偏光面の向きに依存して異なる吸収スペクトルを示すことを利用し、偏光選択素子を実現している。
また、非特許文献２では、平滑なＳｉ基板上に、卍型やＣ型またはその鏡像対称の金属パターンを有し、パターンの端部の傾きが直角から傾いたカイラリティを有しており、この傾きの大きさに依存して、偏光方向の二成分に位相差が生じ、また、パターン端部の向きに依存して右回り、および左回り偏光の違いが生じる光学素子が提案されている。
【０００７】
【特許文献１】特表２００３−５０２７０８号公報
【特許文献２】特開平１０−１５３７０６号公報
【非特許文献１】Ｂｒｉａｎ  Ｃａｎｆｉｅｌｄ，ｅｔ．ａｌＯｐｔｉｃｓ  Ｅｘｐｒｅｓｓ，１２，５４１８−５４２３（２００４）“Ｌｉｎｅａｒ  ａｎｄＮｏｎｌｉｎｅａｒ  Ｏｐｔｉｃａｌ  Ｒｅｓｐｏｎｓｅｓ  Ｉｎｆｌｕｅｎｃｅｄｂｙ  Ｂｒｏｋｅｎ  Ｓｙｍｍｅｔｒｙ  ｉｎ  ａｎ  Ａｒｒａｙ  ｏｆ  Ｇｏｌｄ  Ｎａｎｏｐａｒｔｉｃｌｅｓ”
【非特許文献２】Ａｐｐｌｉｃａｔｉｏｎ  Ｎｕｍｂｅｒ：  ＰＣＴ／ＧＢ０２／０５８７２「ＯＰＴＩＣＡＬ  ＤＥＶＩＣＥ」
【発明の開示】
【発明が解決しようとする課題】
【０００８】
以上のような状況に鑑み、本発明は、光の透過率が高く、十分な位相差を与えることが可能で、設計自由度の高い新規な無機材料からなる光処理素子を提供することを、その目的とする。
【課題を解決するための手段】
【０００９】
上記目的を達成するために、請求項１に記載の発明では、処理すべき光の波長λに対し、最も大きい部分のサイズＤが、Ｄ＜λの関係となる形状の微小な金属構造体を複数個、前記微小な金属構造体間の端部の間隔ｄ（＜Ｄ）を隔して所定の配置で配列して単位配列パターンとし、この単位配列パターンを光学基板上に２次元的に配列させた単位処理領域が積層して形成されてなることを特徴とする。
【００１０】
請求項２に記載の発明では、請求項１に記載の光処理素子において、波長λの光を選択的に通過させる単位処理領域と、波長λの光の偏光状態を選択的に変化させる単位処理領域とを有していることを特徴とする。
請求項３に記載の発明では、請求項１に記載の光処理素子において、波長λの光を選択的に通過させる単位処理領域と、波長λの光の偏光状態を選択的に変化させる単位処理領域と、光を反射させる単位処理領域とを有していることを特徴とする。
【００１１】
請求項４に記載の発明では、請求項１〜３のいずれかに記載の光処理素子において、前記微小な金属構造体の形状が、半球形状、円柱形状、半回転楕円体形状、楕円柱形状、多角柱形状、錐体形状のいずれかであることを特徴とする。
請求項５に記載の発明では、請求項１〜４のいずれかに記載の光処理素子において、前記微小な金属構造体が、金（Ａｕ）、銀（Ａｇ）、アルミニウム（Ａｌ）、白金（Ｐｔ）、ニッケル（Ｎｉ）、クローム（Ｃｒ）、もしくは銅（Ｃｕ）のいずれか、または、これらの組み合わせ、または、これらの合金で構成されていることを特徴とする。
【００１２】
請求項６に記載の発明では、請求項１〜５のいずれかに記載の光処理素子において、前記単位配列パターンにおける前記微小な金属構造体の配置が、２個の金属構造体の近接配置、または、３個以上の金属構造体によるＶ字型配置もしくはＬ字型配置、または、４個以上の金属構造体によるＴ字型配置、または、５個以上の金属構造体による十字型配置の何れかであることを特徴とする。
請求項７に記載の発明では、請求項１〜６のいずれかに記載の光処理素子において、光入射側に配置され、直線偏光のみを通過させる偏光子を有していることを特徴とする。
請求項８に記載の発明では、請求項７に記載の光処理素子において、前記偏光子はワイヤグリッド型であることを特徴とする。
【発明の効果】
【００１３】
本発明によれば、任意の偏光方向を有する光を高効率に選択することが可能であり、設計自由度の高い光処理素子を実現することができる。
また、微細構造間の近接場光相互作用を効率よく利用することが可能であり、任意の偏光方向を有する光を高効率に選択することができる設計自由度の高い光処理素子を実現することができる。
また、より高ＳＮ比で入射偏光を分離することが可能であり、任意の偏光方向を有する光を高効率に選択することができる設計自由度の高い光処理素子を実現することができる。
【発明を実施するための最良の形態】
【００１４】
以下、本発明の第１の実施形態を図１乃至図１２に基づいて説明する。
図１に示すように、本実施形態に係る無機偏光光学素子としての光処理素子１は、光学的に平坦な領域または層としての基板２、３を重ね合わせた、あるいは積層してなる構成を有している。各基板２、３上にはそれぞれ微小または微細な金属構造体（以下、「微小金属構造体」という）４によるパターンが形成されている。
入射側の基板２は、光を選択的に通過させる単位処理領域としての偏光分離処理領域の機能を有し、出射側の基板３は、光の偏光状態を選択的に変化させる単位処理領域としての偏光回転処理領域の機能を有している。
【００１５】
このような金属微細構造パターンが形成された基板に対して光を照射すると、入射偏光に対して微小金属構造体が非対称に存在する場合、各金属構造体に生じる局在表面プラズモンの共鳴周波数に依存して、微小金属構造体間に生じる近接場相互作用により、各微小金属構造体間で位相差が生じる。
そのため、各微小金属構造体からの光が重畳された反射光あるいは透過光の偏光成分にも位相差が生まれ、図２に示すように、出射光における偏光状態を変換することができる。ここでは、直線偏光５を楕円偏光６に変換する例を示している。
【００１６】
また、ドットの共鳴効果による偏光選択性を利用して、１偏光成分を取り出すことができる。またドット間の間隔を調整することで、出射光の位相や振幅を調整することが可能である。
ここで入射光側（基板２）に偏光を分離する機能を有する金属の微細構造を形成し、その下側（基板３）に偏光回転処理領域を形成することで、任意の方向の偏光成分のみを有する出射光を得ることができる。
偏光回転処理領域に形成するドット間の間隔を変化させることで、所望の偏光状態を有する出射光を得ることができる。
偏光分離機能領域（偏光分離処理領域）と、偏光回転処理領域の上下関係は、偏光回転処理領域が上側、偏光分離機能領域を下側に形成してもよい。この場合は光が基板３側から入射することになる。
【００１７】
次に、このような方法で作製された金属複合構造体（微小金属構造体群）に入射した光の偏光状態が、構造に依存して変化する原理を、数値計算結果に基づいて説明する。
数値計算には、電磁界の運動を記述するマクスウェル方程式を時空間の差分方程式に近似して解く、有限時間領域差分法（ＦＤＴＤ法）を利用した。図３は、数値計算に使用したモデルを表しており、空気中に存在するサイズ（直径）４０ｎｍの二つのＡｕ球における近接する端部の間隔ｄを０〜８０ｎｍまで変化させた場合の、反射遠方場における偏光状態の変化を調べたものである。
Ａｕの光学定数は、屈折率ｎ＝０．０７２、ｋ＝１．４９６を用いた。この値は、金属球が５０ｎｍ以下程度に小さくなった場合に、金属球のサイズに依存した光学定数の変化を考慮した値である。
【００１８】
ＦＤＴＤ法により得られた金属複合構造体（Ａｕ球群）近傍の電界分布から遠方場光の特性を得るために、電界分布のフーリエ変換により角度θ＝０°の成分を抽出し、図２示すｘ方向とｙ方向の振幅比と位相差を算出した。４０ｎｍのＡｕ微小球のプラズモン共鳴波長近傍である波長５４４ｎｍを用い、図３に示すｘｙ面内においてｘ軸から４５°の方向に電界の振動方向をもつ平面波を照射する計算を行った。
図４は振幅比との関係を示しており、ｄが大きな領域においては振幅比が１に近づき、偏光面（電界の振動方向）が入射光の偏光方向と一致していることがわかる。これに対し、ｄ＝０近傍に近づくにつれて、振幅比が増加し、すなわち偏光面がｙ方向へ傾く。
一方、図５は電界のｘ成分とｙ成分の位相差との関係を表している。ｄがゼロに近づくほど、位相差が大きくなり、ｄ＝０の場合に位相差が４５°程度となる。
【００１９】
以上のＦＤＴＤ法によるシミュレーションの結果から、Ａｕ微小球（微小金属構造体）の間隔を制御することにより、偏光面を回転させることができ、また、偏光状態を、例えば直線偏光から楕円偏光に変換することができる。
図６に入射光と出射光の偏光状態を示す。４５度方向に入射した直線偏光が円偏光に変換されている。金属材料としてＡｇ微小球を使用した場合にも、同様の計算結果が得られるが、この場合、偏光状態に変化の生じる波長領域はＡｇ微小球のプラズモン共鳴波長近傍である波長４００ｎｍ近傍であった。
【００２０】
また、図７に微小金属構造体４の直径を１０ｎｍから５０ｎｍまで変化させた場合における、金属球内部の電界強度と共鳴波長関係に関して計算を行った結果を示す。
ａで示す直径１０ｎｍの場合の共鳴波長は４２０ｎｍ近傍であるが、微小金属構造体の直径をｅで示す５０ｎｍとしたときには、共鳴波長は４５０ｎｍ近傍と長波長側に共鳴波長がシフトすることがわかる。
すなわち、微小金属構造体の大きさを変化させることで、共鳴波長を選択でき、特定の入射波長のみに偏光面の回転などの作用を及ぼすことができる。
【００２１】
ここで、図８に示すように、処理すべき光の波長λに対し、最も大きい部分のサイズＤが、Ｄ＜λの関係となる形状の微小金属構造体４を複数個（ここでは２個）、微小金属構造体４間の端部の間隔ｄ（＜Ｄ）を隔して所定の配置で配列して単位配列パターンＰとし、この単位配列パターンｐを２次元的に配列させた単位処理領域Ｓが形成されている光学基板（２、３）に、例えばＹ軸方向に対して４５度傾いた直線偏光を入射すると、この基板を透過した光は楕円偏光となる。
本実施形態では金属粒子（微小金属構造体４）の断面形状を円形状としているが、他の形状、例えば楕円構造や多角形状構造であっても良い。また、円形状の構造を連続して配置し、擬似的に楕円形状構造を形成するような構成でも良い。このような構造は、電子ビームリソグラフィ、ＤＵＶ・ＥＵＶリソグラフィ、ナノインプリント、材料物性の変質を利用したエッチングなどの微細加工技術を利用して作製することが可能である。
各微小金属構造体４の形状は上記構造に特に限定される必要はなく、半球形状、円柱形状、半回転楕円体形状、楕円柱形状、多角柱形状、錐体形状の何れかでもよく、特に円柱形状や、半球形状などのものが作製しやすい。
【００２２】
図８において、微小金属構造体４の大きさ（直径）をＲ（＝Ｄ）、ｘ方向に最も隣接した微小金属構造体との中心間隔をｄ０、２つの隣接した微小金属構造体のパターンをＰＡとし、ＰＡとｘ方向に最も隣接する微小金属構造体のパターンをＰＢとしたとき、ＰＡ−ＰＢ間の距離をｄ１、ｙ方向に隣接している微細構造をＰＣとしたときの、ＰＡ−ＰＣ間の距離をｄ２とする。
このときＲ、ｄ０、ｄ１、ｄ２ともに入射光の波長よりも十分小さいことが望ましい。また隣接した微小金属構造体間に生じる近接場相互作用を利用するため、少なくともｄ＜Ｄである必要があり、ｄ１とｄ２は隣接する微小金属構造体のパターン間の相互作用の影響を少なくするため、Ｄよりも大きい必要がある。
【００２３】
図９に示すように、３個もしくは複数個（３個以上）の微小金属構造体４の組み合わせでＶ字形状に配列されたパターンを形成してもよい。
また、図１０に示すように、３個もしくは複数個（３個以上）の微小金属構造体４の組み合わせでＬ字形状に配列されたパターンを形成してもよい。
図８に示すパターン同様に、隣接した微小金属構造体との間隔は微小金属構造体の大きさよりも十分小さく、またＬ字もしくはＶ字形状のパターンの間隔は構成する微小金属構造体の大きさよりも十分大きいほうが好ましい。
このときも入射する光の偏光方向は形成された微小金属構造体に対して非対称な偏光成分を有するような角度で入射することで、透過もしくは反射した光の位相差が生じる。
【００２４】
図１１に示すように、４個もしくは複数個（４個以上）の微小金属構造体の組み合わせでＴ字形状に配列されたパターンを形成してもよい。  図８に示したパターン同様に、隣接した微小金属構造体との間隔は微小金属構造体の大きさよりも十分小さく、またＴ字形状のパターン間の間隔は構成する微小金属構造体の大きさよりも十分大きいほうが好ましい。
このときも入射する光の偏光方向は形成された微小金属構造体に対して非対称な偏光成分を有するような角度で入射することで、透過もしくは反射した光の位相差が生じる。
Ｔ字形状に配列されたパターンを分割された各領域に配置し、各領域で各微小金属構造体の最小構成構造物（パターン）の大きさがぞれぞれの領域で異なる構成でもよい。ここでも図８に示す構成同様に、隣接した微小金属構造体との間隔は微小金属構造体の大きさよりも十分小さく、またＴ字形状のパターン間の間隔は構成する微小金属構造体の大きさよりも十分大きいほうが好ましい。
このときも入射する光の偏光方向は形成された微小金属構造体に対して非対称な偏光成分を有するような角度で入射することで、透過もしくは反射した光の位相差が生じる。
【００２５】
図１２に示すように、５個もしくは複数個（５個以上）の微小金属構造体の組み合わせで十字もしくは卍字形状に配列されたパターンを分割された各領域に配置し、各領域で各微小金属構造体の最小構成構造物の大きさがぞれぞれの領域で異なる構成でもよい。
この場合は、図１２に示す構造と対称な構造（ハーケンクロイツ状）でも同様である。ここでも図８に示す構成と同様に、隣接した微小金属構造体との間隔は微小金属構造体の大きさよりも十分小さく、また十字または卍字形状のパターン間の間隔は構成する微小金属構造体の大きさよりも十分大きいほうが好ましい。
このときも入射する光の偏光方向は形成された微小金属構造体に対して非対称な偏光成分を有するような角度で入射することで、透過もしくは反射した光の位相差が生じる。
【００２６】
上記の光処理素子は以下のようにして実現できる。まず無機材料として光学ガラスを基板とし、その平坦な面に金、銀、アルミニウムなどの金属材料をＣＶＤ等の化学蒸着法や物理蒸着を用いた成膜法、あるいは鍍金等の堆積法で薄膜状に形成する。
この金属膜上にフォトレジスト層を形成し、このフォトレジスト層に電子線描画やＸ線描画などの手法により、所望の微細構造に相当するパターンを残すようにレジストパターンを形成する。その後、不要部分の金属膜を例えばＲＩＥなどによりエッチングを行うことで、所望の微細構造金属パターン（微小金属構造体パターン）を形成することができる。
【００２７】
また、無機材料として光学ガラスを基板とし、その平坦な面にフォトレジスト層を形成し、このフォトレジスト層に電子線描画やＸ線描画などの手法により、所望の微細構造に相当するパターン以外を残すようにレジストパターンを形成する。
その後、金、銀、アルミニウムなどの金属材料をＣＶＤ等の化学蒸着法や物理蒸着を用いた成膜法、あるいは鍍金等の堆積法でレジストパターン上に薄膜状に形成する。その後、レジスト膜を除去することで、レジスト膜上に形成された不要部分の金属膜を除去することで、所望の微細構造金属パターンを形成することができる。
無機材料としての基板には、石英ガラスや、ＢＫ７、パイレックス（登録商標）などの硼珪酸ガラス、ＣａＦ２、Ｓｉ、ＺｎＳｅ、Ａｌ２Ｏ３などの光学結晶材料などが利用できる。
【００２８】
該基板に偏光変換処理機能を有する微細金属構造パターンを形成した後、石英ガラスや、ＢＫ７、パイレックス（登録商標）などの硼珪酸ガラス、ＣａＦ２、Ｓｉ、ＺｎＳｅ、Ａｌ２Ｏ３などの光学結晶材料をスパッタ等で形成した後、ＣＭＰ（Ｃｈｅｍｉｃａｌ  Ｍｅｃｈａｎｉｃａｌ  Ｐｏｌｉｓｈｉｎｇ：化学的機械研磨）で表面を研磨し、再度上記偏光分離機能を有する微細金属パターンを形成することにより光処理素子を形成することができる。
ＣＭＰは研磨スラリー（研磨剤）と研磨パッドを用いて、ウェハーを研磨し、平坦化する技術である。ＣＭＰ装置では、研磨される半導体基板の表面を下向きに研磨パッドに押しつけ、双方を回転させながら、化学的作用と機械的作用を利用して表面を平坦化することができる。
また、入射する光の偏光方向は形成された微小金属構造体に対して非対称な偏光成分を有するように入射することで、各微小金属構造体間で位相差が生じる。また、これら金属粒子の材料は、使用する光源波長でプラズモンが発生し、出射光に所望の位相差を与えるように選択すればよく、例えばＡｕ、Ａｇ、Ａｌ、Ｐｔ、Ｎｉ、Ｃｒ、Ｃｕなどが使用可能であり、これら金属の合金でも良く、特に、Ａｕ、Ａｇ、Ａｌが好ましい。
【００２９】
図１３に基づいて第２の実施形態を説明する。なお、上記実施形態と同一部分は同一符号で示し、特に必要がない限り既にした構成上及び機能上の説明は省略して要部のみ説明する（以下の他の実施形態において同じ）。
本実施形態に係る光処理素子７では、図１に示した光処理素子１の出射側に、光を反射させる単位処理領域としての光反射領域である基板８が設けられており、任意の方向の偏光成分のみを有する反射光を得ることができる。
偏光分離処理領域（基板２）及び、偏光回転処理領域（基板３）は、図１に示した実施例と同様の機能を有している。この場合、光反射領域（基板８）には、反射率の高い材料が好ましく、上記の光学ガラス、光学結晶材料に、ＡｌやＡｕなどの金属膜を蒸着したものや、シリコン基板などを用いることが好ましい。
また、部分反射膜としてＣｒコーティングなどを利用することで、透過光と反射光の両方を利用するハーフミラーとして使用することもできる。
【００３０】
図１４に基づいて第３の実施形態を説明する。
本実施形態に係る光処理素子１０は、図１に示したのと同様の機能を有している偏光回転処理領域（基板３）と、その上面に形成されたワイヤグリッド型偏光子１１を有している。
ワイヤグリッド型偏光子３１は入射波長よりも小さい周期からなる金属細線の格子であり、入射光の電場の振動方向が細線に垂直な場合は格子を通過し、平行な場合は反射される。従って上面から入射した光はワイヤグリッド型偏光子１１で細線に垂直と平行な向きの偏光に分離され、さらに偏光回転処理領域において任意の方向の偏光を有する光を選択的に出射することができる。
この偏光子１１はワイヤグリッド型偏光子に限らず有機膜を用いた偏光子、方解石を用いた偏光子なども利用可能である。
【図面の簡単な説明】
【００３１】
【図１】第１の実施形態に係る光処理素子の斜視図である。
【図２】第１の実施形態に係る光処理素子の機能を示す斜視図である。
【図３】数値計算に使用したモデルを表す説明図である。
【図４】数値計算により得られた振幅比を示すグラフである。
【図５】数値計算により得られた位相差を示すグラフである。
【図６】偏光状態を示す図である。
【図７】金属球内部の電界強度と共鳴波長関係に関して計算を行った結果を示すグラフである。
【図８】光処理素子を構成する微小金属構造体の配列パターンを示す説明図である。
【図９】光処理素子を構成する微小金属構造体の配列パターン（Ｖ字）を示す説明図である。
【図１０】光処理素子を構成する微小金属構造体の配列パターン（Ｌ字）を示す説明図である。
【図１１】光処理素子を構成する微小金属構造体の配列パターン（Ｔ字）を示す説明図である。
【図１２】光処理素子を構成する微小金属構造体の配列パターン（卍字）を示す説明図である。
【図１３】第２の実施形態に係る光処理素子の斜視図である。
【図１４】第３の実施形態に係る光処理素子の斜視図である。
【符号の説明】
【００３２】
２  光を選択的に通過させる単位処理領域としての偏光分離処理領域
３  光の偏光状態を選択的に変化させる単位処理領域としての偏光回転処理領域
４  微小金属構造体
８  光を反射させる単位処理領域としての光反射領域
１１  偏光子としてのワイヤグリッド型偏光子
【図１】
0004664865.tif 000002
【図２】
0004664865.tif 000003
【図３】
0004664865.tif 000004
【図４】
0004664865.tif 000005
【図５】
0004664865.tif 000006
【図６】
0004664865.tif 000007
【図７】
0004664865.tif 000008
【図８】
0004664865.tif 000009
【図９】
0004664865.tif 000010
【図１０】
0004664865.tif 000011
【図１１】
0004664865.tif 000012
【図１２】
0004664865.tif 000013
【図１３】
0004664865.tif 000014
【図１４】
0004664865.tif 000015